(57)【要約】【課題】  種々の容器に収容された薬液等を効率よく吸引でき、かつ安全性に優れたカニューレを提供すること。【解決手段】  カニューレ２０を、開口部２５が形成された筒状穿刺部２４を備え内部に液体流路２１ａが形成されたカニューレ本体２１と、内部に液体流路２１ａと連通する液体流路２２ａが形成され先端部に先端開口部２８が形成された可動カニューレ部２２とで構成した。そして、先端開口部２８を開口部２５よりも筒状穿刺部２４の基端部側に後退させた位置と先端開口部２８を筒状穿刺部２４の先端部よりも先方に進出させた位置との間で、可動カニューレ部２２を移動可能にした。また、可動カニューレ部２２に係合突部２７、筒状穿刺部２４に係合溝部２６ａ，２６ｂをそれぞれ設け、可動カニューレ部２２を筒状穿刺部２４の基端部側と先端部側との位置で静止可能にした。【選択図】  図２
2006020803.tif 000002
【特許請求の範囲】
【請求項１】
先端側部分に開口部が形成された筒状穿刺部を含み内部に前記開口部に連通する液体流路が形成されたカニューレ本体と、先端側部分に先端開口部が形成され内部に前記先端開口部に連通する連通液体流路が形成された筒状の可動カニューレ部とを備えたカニューレであって、
前記先端開口部を前記開口部と同じ位置または前記開口部よりも前記筒状穿刺部の基端部側に後退させた位置と、前記先端開口部を前記筒状穿刺部の先端部よりも前方に進出させた位置との間で移動可能な状態で、前記可動カニューレ部を前記カニューレ本体に取り付け、前記可動カニューレが前方に進出したときに、前記連通液体流路が前記液体流路に連通して前方に伸びるようにしたことを特徴とするカニューレ。
【請求項２】
前記可動カニューレ部を前記筒状穿刺部の基端部側に後退させた位置と前記可動カニューレ部を前記筒状穿刺部の先端部側に進出させた位置とに、それぞれ前記可動カニューレ部を前記筒状穿刺部に対して静止させるための係合部を設けた請求項１に記載のカニューレ。
【請求項３】
前記筒状穿刺部の先端部を閉塞して前記筒状穿刺部の先端側部分の側部に前記開口部を形成するとともに、前記可動カニューレ部を前記筒状穿刺部の外周面側に取り付け、前記可動カニューレ部が前記筒状穿刺部の基端部側に後退したときに前記筒状穿刺部の先端側部分が露呈し、前記可動カニューレ部が前記筒状穿刺部の先端部側に進出したときに前記筒状穿刺部の先端部が前記可動カニューレ部によって覆われるようにした請求項１または２に記載のカニューレ。
【請求項４】
前記可動カニューレ部が前記筒状穿刺部の基端部側に後退したときに前記筒状穿刺部の開口部に対応する前記可動カニューレ部の側部に、前記開口部と連通し、前記先端開口部の一部を構成する側部開口部を形成した請求項３に記載のカニューレ。
【請求項５】
前記筒状穿刺部の先端部に前記開口部を形成するとともに、前記可動カニューレ部を前記筒状穿刺部の内周面側に取り付け、前記可動カニューレ部が前記筒状穿刺部の基端部側に後退したときに前記可動カニューレ部の先端部は前記筒状穿刺部内に入り込み、前記可動カニューレ部が前記筒状穿刺部の先端部側に進出したときに前記可動カニューレ部の先端部は前記筒状穿刺部の先端部から突出するようにした請求項１または２に記載のカニューレ。
【請求項６】
先端部に先端開口部が形成された筒状部を含み内部に前記先端開口部に連通する液体流路が形成されたカニューレ本体と、先端側部分に開口部が形成された穿刺部を含み内部に前記開口部および前記カニューレ本体の液体流路と連通する連通液体流路が形成された可動カニューレ部とを備えたカニューレであって、
前記可動カニューレ部を前記筒状部の内周面側に取り付け、前記可動カニューレ部が前記穿刺部を前記筒状部の先端部から突出させた状態で、前記筒状部に対して進退できるようにしたことを特徴とするカニューレ。
【発明の詳細な説明】
【技術分野】
【０００１】
本発明は、アンプル等の容器に収容された薬液等を吸引したり、吸引した薬液等を輸液ラインを介して患者に供給したりする際に用いられるカニューレに関する。
【背景技術】
【０００２】
従来から、バイアルやアンプル等の容器に収容された生理食塩水や薬液等を、先端にカニューレが取り付けられた注射器で吸引し、この薬液等を、患者の体に接続された輸液ラインの所定部分に注入することにより患者の体内に供給することが行われている。このカニューレの先端部は細い筒状の針で構成され、その筒状の針の先端に、薬液等を注入・注出するための開口部が形成されている。このようなカニューレを金属で構成し、その先端部の針先を尖鋭に形成すると、不注意によって医療従事者や患者にカニューレの針先が刺さる等の事故が生じる虞がある。このため、安全性を考慮して、カニューレを樹脂材料で構成するとともに、その先端部の針先を、バイアルの蓋等を構成するゴムを刺すことができる程度の鋭利さを備えた形状にしたものがある（例えば、特許文献１参照）。
【特許文献１】特開２００２―１７８５３号公報
【発明の開示】
【０００３】
しかしながら、前述した従来の樹脂製のカニューレは、金属製のカニューレに比べて強度や剛性が劣るため、バイアルのゴム蓋等を貫通させるためには金属製のカニューレよりも太く、かつ短くする必要が生じる。このため、アンプルのようにゴム蓋が無く、針先を底部まで挿し込まなければ内部の薬液を全部吸い取ることができない容器での使用には不向きであるという問題がある。
本発明は、このような事情に鑑みなされたもので、その目的は、種々の容器に収容された薬液等を効率よく吸引でき、かつ安全性に優れたカニューレを提供することである。
【０００４】
前述した目的を達成するため、本発明に係るカニューレの構成上の特徴は、先端側部分に開口部が形成された筒状穿刺部を含み、内部に開口部に連通する液体流路が形成されたカニューレ本体と、先端側部分に先端開口部が形成され内部に先端開口部に連通する連通液体流路が形成された筒状の可動カニューレ部とを備えたカニューレであって、先端開口部を開口部と同じ位置または開口部よりも筒状穿刺部の基端部側に後退させた位置と、先端開口部を筒状穿刺部の先端部よりも前方に進出させた位置との間で移動可能な状態で、可動カニューレ部をカニューレ本体に取り付け、可動カニューレが前方に進出したときに、連通液体流路が液体流路に連通して前方に伸びるようにしたことにある。
【０００５】
前述のように構成した本発明のカニューレは、筒状穿刺部を含むカニューレ本体と、筒状穿刺部に対してスライド移動可能に取り付けられた可動カニューレ部とで構成されている。したがって、薬液等が収容された容器に応じて可動カニューレ部をカニューレ本体の筒状穿刺部から進退させることにより、どのような容器に収容された薬液等でも吸引することができる。例えば、アンプル等の容器に収容された薬液等を吸引する際には、筒状穿刺部から可動カニューレ部を突出させることにより、容器内の薬液等を残らず吸引することができる。すなわち、このカニューレは、アンプルのようにゴム蓋等を備えていない長い容器から薬液等を吸引する場合には、可動カニューレ部を筒状穿刺部から突出させて筒状穿刺部と可動カニューレ部との合計長さを長くした状態で、可動カニューレ部の先端開口部から薬液等を吸引する。
【０００６】
また、バイアルのようにゴム蓋を備えた容器に収容された薬液等を吸引する場合や、ゴム部を備えた医療用活栓を介して患者の体内に薬液等を供給する場合には、可動カニューレ部を筒状穿刺部の基端部側に後退させて筒状穿刺部を先端側に位置させた状態で、筒状穿刺部の針先を直接、バイアルのゴム蓋や医療用活栓のゴム部に差し込み、薬液等を吸引したり供給したりする。
【０００７】
ゴム蓋等を備えた容器の場合、上下方向に反転させても内部の薬液等が漏れることがないため、筒状穿刺部を刺した状態で容器を逆さまにすることによって筒状穿刺部の先端部を容器の底部に到達させることなく薬液等の吸引が可能になる。これによって、種々の容器に収容された略すべての薬液等を容器内に残すことなく適正な状態で患者に供給することができる。また、カニューレ本体と可動カニューレ部とが、一体的に組み付けられているため取り扱いやすくなる。なお、開口部が形成されるカニューレ本体の先端側部分は、先端部と、先端部の近傍部分の双方を含むものとする。
【０００８】
また、本発明に係るカニューレの他の構成上の特徴は、可動カニューレ部を筒状穿刺部の基端部側に後退させた位置と、可動カニューレ部を筒状穿刺部の先端部側に進出させた位置とに、それぞれ可動カニューレ部を筒状穿刺部に対して静止させるための係合部を設けたことにある。これによると、可動カニューレ部を使用に応じた適正位置に確実に静止させることができるため、カニューレの操作が容易になる。この場合の係合部としては、溝部と突部などの互いに着脱可能に係合できる構造や、摩擦抵抗を利用したもの等を使用することができる。
【０００９】
また、本発明に係るカニューレのさらに他の構成上の特徴は、筒状穿刺部の先端部を閉塞して筒状穿刺部の先端側部分の側部に開口部を形成するとともに、可動カニューレ部を筒状穿刺部の外周面側に取り付け、可動カニューレ部が筒状穿刺部の基端部側に後退したときに筒状穿刺部の先端側部分が露呈し、可動カニューレ部が筒状穿刺部の先端部側に進出したときに筒状穿刺部の先端部が可動カニューレ部によって覆われるようにしたことにある。
【００１０】
このように構成したカニューレでは、筒状穿刺部の先端部を閉塞して、筒状穿刺部の先端側部分の側部に注入・注出用の開口部を形成している。このため、筒状穿刺部をバイアルのゴム蓋や医療用活栓のゴム部に刺しても、その先端部は、開口部の縁部をゴム蓋等に強く押し付けることなく、ゴム蓋等の内部を通過するだけであるため、開口部の縁部がゴム蓋等を削り取って破損させることはない。このため、ゴム蓋等の破片が薬液等とともにカニューレ本体の内部に入り込むといったことを防止できる。
【００１１】
また、本発明に係るカニューレのさらに他の構成上の特徴は、可動カニューレ部が筒状穿刺部の基端部側に後退したときに筒状穿刺部の開口部に対応する可動カニューレ部の側部に、開口部と連通し、先端開口部の一部を構成する側部開口部を形成したことにある。
【００１２】
これによると、可動カニューレ部が筒状穿刺部の基端部側に後退したときに、可動カニューレ部の先端部が筒状穿刺部の開口部に位置していても、筒状穿刺部の開口部と可動カニューレ部の側部開口部とが連通するため薬液等の注入・注出がスムーズに行える。この結果、可動カニューレ部の取り付け位置や形状の設定に自由度が増すようになり、特に長さを自由に設定することが可能になる。なお、この側部開口部は、先端開口部の一部を構成するもので、可動カニューレ部の先端面に開口部を形成し、この開口部と連続して形成してもよいし、離れた位置に形成してもよい。また、この側部開口部だけで先端開口部を構成してもよい。
【００１３】
また、本発明に係るカニューレのさらに他の構成上の特徴は、筒状穿刺部の先端部に開口部を形成するとともに、可動カニューレ部を筒状穿刺部の内周面側に取り付け、可動カニューレ部が筒状穿刺部の基端部側に後退したときに可動カニューレ部の先端部は筒状穿刺部内に入り込み、可動カニューレ部が筒状穿刺部の先端部側に進出したときに可動カニューレ部の先端部は筒状穿刺部の先端部から突出するようにしたことにある。これによっても、種々の容器に収容された薬液等を効率よく吸引することができる。また、可動カニューレ部が筒状穿刺部の内部側に位置するため、カニューレを取り扱う際に、邪魔にならなくなる。
【００１４】
また、本発明にかかるカニューレのさらに他の構成上の特徴は、先端部に先端開口部が形成された筒状部を含み、内部に先端開口部に連通する液体流路が形成されたカニューレ本体と、先端側部分に開口部が形成された穿刺部を含み、内部に開口部およびカニューレ本体の液体流路と連通する連通液体流路が形成された可動カニューレ部とを備えたカニューレであって、可動カニューレ部を筒状部の内周面側に取り付け、可動カニューレ部が穿刺部を筒状部の先端部から突出させた状態で、筒状部に対して進退できるようにしたことにある。これによると、穿刺部をバイアルのゴム蓋や医療用活栓のゴム部等に刺す必要があるとともに、筒状部と可動カニューレ部との合計長さを長くする必要がある場合に好適な使用が可能になる。
【００１５】
また、本発明にかかるカニューレは、樹脂材料で構成することが好ましい。これによると針先を鈍針状に形成して安全性を高めることができるとともに、形状の設計に自由度が増すようになり、複雑な形状のカニューレを成形することができる。
【発明を実施するための最良の形態】
【００１６】
（第１実施形態）
以下、本発明の第１実施形態に係るカニューレを図面を用いて説明する。図１は、同実施形態に係るカニューレ２０が取り付けられた注射器１０を示している。この注射器１０は、生理食塩水や薬液等を収容するためのシリンダー部１１と、シリンダー部１１内に薬液等を吸引するためのピストン部１２とを備えている。シリンダー部１１は、表面に目盛りが施された円筒体からなるシリンダー本体１３と、シリンダー本体１３の先端（図１における右側部分）に形成された細径円筒状の被取付け部１４と、シリンダー本体１３の後端部の外周に形成されたフランジ状の指当て部１５とで構成されている。
【００１７】
ピストン部１２は、先端に形成されたゴム部（図示せず）をシリンダー本体１３の内周面に液密的に接触させた状態でシリンダー部１１内に移動可能に取り付けられた円柱状部１６と、円柱状部１６の後端部に形成された円板状の操作部１７とで構成されている。そして、シリンダー部１１の被取付け部１４にカニューレ２０が着脱可能な状態で取り付けられている。
【００１８】
カニューレ２０は、図２ないし図４に示したように、カニューレ本体２１とカニューレ本体２１にスライド可能な状態で取り付けられた可動カニューレ部２２とで構成されている。カニューレ本体２１は、段違いの略円筒体で構成され、内部には本発明の液体流路としての液体流路２１ａがカニューレ本体２１の中心軸に沿って形成されている。また、カニューレ本体２１は、注射器１０の被取付け部１４の外周面に液密的に取り付けられる円筒状の取付け部２３を備えており、その先端側に、小径の筒状穿刺部２４が形成されている。
【００１９】
筒状穿刺部２４は、基端部２４ａから先端部側に向けてやや先細りになった円筒状に形成され、その先端部に鈍針２４ｂが形成されている。そして、液体流路２１ａにおける鈍針２４ｂの内部に形成された部分は、一定の内径に設定されているが、鈍針２４ｂの外周部は、後部（基端部２４ａ側部分）から先端側に向って徐々に大径になるテーパ状に形成されている。また、鈍針２４ｂの先端部は、先端側が徐々に細くなった２段状の傾斜部（後部側が円錐台形で、先端側が円錐形）で構成されて、前端面は閉塞されている。
【００２０】
そして、鈍針２４ｂの先端側部分の両側部に、液体流路２１ａに通じる開口部２５が対向して形成されている。また、筒状穿刺部２４の基端部２４ａ側部分の外周面には、係合溝部２６ａが円周に沿って設けられ、鈍針２４ｂの外周面における開口部２５の後端部よりもやや後部に係合溝部２６ｂが円周に沿って設けられている。係合溝部２６ａの深さは係合溝部２６ｂの深さよりも大きく設定されているが、係合溝部２６ａ，２６ｂのそれぞれの溝底部から筒状穿刺部２４の中心軸Ｌまでの長さは同じ長さに設定されている。また、液体流路２１ａにおける鈍針２４ｂよりも筒状穿刺部２４の基端側に位置する部分は、筒状穿刺部２４のテーパに沿うように基端部２４ａから先端部側に向けて先細りに形成されている。
【００２１】
また、可動カニューレ部２２は、円筒体で構成され、内部には液体流路２１ａに連通可能な本発明の連通液体流路としての液体流路２２ａが可動カニューレ部２２の中心軸に沿って形成されている。この液体流路２２ａを形成する可動カニューレ部２２の内周面は、可動カニューレ部２２が筒状穿刺部２４の基端部２４ａ側に位置したときに、筒状穿刺部２４の外周面と密着するように、先端部側の内径が小さく、後端部側に行くほど徐々に内径が大きくなるテーパ状に形成されている。そして、可動カニューレ部２２の内周面における後部側部分に、係合溝部２６ａ，２６ｂと係合可能な係合突部２７が円周に沿って設けられている。また、可動カニューレ部２２の先端面には、先端側が先細りになった突起部２２ｂが形成されており、この突起部２２ｂの中央に液体流路２２ａに通じる先端開口部２８が形成されている。
【００２２】
図３および図４のように、可動カニューレ部２２が筒状穿刺部２４の基端部２４ａ側に後退して、係合溝部２６ａと係合突部２７とが係合したときには、可動カニューレ部２２は内周面を筒状穿刺部２４の外周面に密着させて静止状態を維持する。また、図２のように、可動カニューレ部２２が筒状穿刺部２４の先端部側に突出したときには、係合溝部２６ｂと係合突部２７とが係合し、その係合によって、可動カニューレ部２２の内周面と筒状穿刺部２４の外周面との間が密閉された状態で可動カニューレ部２２は静止状態を維持する。この可動カニューレ部２２は、カニューレ本体２１と同軸的に取り付けられており、その中心軸も中心軸Ｌとなる。また、これらのカニューレ本体２１および可動カニューレ部２２は、ともに熱可塑性樹脂材料を成形した成形品で構成されている。
【００２３】
この構成において、図１に示したように、可動カニューレ部２２が筒状穿刺部２４の先端部からに突出した状態のカニューレ２０が取り付けられた注射器１０を用いて、例えば、図５に示したアンプル３１内の薬液３２を吸引する場合について説明する。この場合、まず、アンプル３１をくびれ部分に形成された切断部３１ａに沿って折り曲げて、アンプル本体３１ｂから上部の閉塞蓋部３１ｃを切断して取り除く。つぎに、上端が開口したアンプル本体３１ｂの開口から、アンプル本体３１ｂ内に可動カニューレ部２２の先端部を挿入し、突起部２２ｂの先端開口部２８を薬液３２に浸けた状態で、注射器１０のピストン部１２をシリンダー部１１から引き抜きながら上方に移動させる。
【００２４】
これによって、アンプル本体３１ｂ内の薬液３２は徐々に、注射器１０のシリンダー本体１３内に吸引されていく。この際、低下していく薬液３２の液面高さに応じて注射器１０を移動させて注射器１０に取り付けたカニューレ２０をアンプル本体３１ｂ内の下方側に位置させる。そして、図６に示したように、殆どの薬液３２を吸引して、突起部２２ｂの先端部がアンプル本体３１ｂの底部に到達すると、図７のようにアンプル本体３１ｂを傾倒させ、アンプル本体３１ｂの上部側に形成された窪みの部分に残りの薬液３２を溜める。
【００２５】
そして、注射器１０に取り付けたカニューレ２０をアンプル本体３１ｂの開口側に引き出して、突起部２２ｂの先端開口部２８を、薬液３２の中に浸け、再度、ピストン部１２をシリンダー部１１から引き抜くように後退させることにより、残りの薬液３２をシリンダー本体１３内に吸引させる。これによって、アンプル３１内の薬液３２の殆どを注射器１０で吸引することができる。
【００２６】
つぎに、注射器１０に吸引した薬液３２を患者（図示せず）の体内に供給する場合について説明する。図８は、患者の体に接続された輸液ライン３３が備える三方活栓３４を示しており、この三方活栓３４を介して注射器１０内の薬液３２は患者に供給される。三方活栓３４は、可撓性のチューブ３３ａ，３３ｂを直線状に接続する分岐管３４ａ，３４ｂと、分岐管３４ａ，３４ｂ間に形成されたチャンバ部３５と、チャンバ部３５から分岐管３４ａ，３４ｂに対して直交する方向に延びる分岐管３４ｃとを備えている。
【００２７】
そして、チャンバ部３５内には、弁体３６が回転自在に設置されており、この弁体３６を操作レバー３８の操作によって回転させることにより、分岐管３４ａ，３４ｂ，３４ｃ間における連通ルートを適宜切り換えることができる。また、分岐管３４ｃの内部には、天然ゴムまたは合成ゴムからなる弾性体（図示せず）が設置されている。この弾性体には、チャンバ部３５の内部側と分岐管３４ｃの外部側との間を貫通するスリットが設けられているが、通常時には、弾性体の弾性によってスリットは閉塞された状態になっている。
【００２８】
そして、注射器１０内に吸引した薬液３２を患者に供給する際には、弁体３６を回転させて、分岐管３４ｃと、患者側に接続された分岐管、例えば、分岐管３４ａとを連通させる。そして、可動カニューレ部２２を筒状穿刺部２４の基端部２４ａ側に後退させ、鈍針２４ｂを分岐管３４ｃ内の弾性体のスリットに刺し込む。これによって、鈍針２４ｂの開口部２５は、チャンバ部３５内に位置し、注射器１０内の薬液３２を輸液ライン３３に供給可能な状態になる。その状態で、注射器１０のピストン部１２を、シリンダー部１１内に押し込むことにより、薬液３２は、チャンバ部３５から分岐管３４ａおよびチューブ３３ａ等を介して、患者の体内、例えば血管内に供給される。
【００２９】
この場合、鈍針２４ｂに先端側が大径になったテーパ部が形成されているため、鈍針２４ｂが弾性体の復元力によって後退して弾性体から外れることを防止できる。また、鈍針２４ｂの先端部が２段状の段部に形成されているとともに、開口部２５が鈍針２４ｂの側部に形成されているため、鈍針２４ｂを弾性体に刺し込む際、弾性体が、鈍針２４ｂの先端部および開口部２５の縁部によって削り取られて破損するといったことは生じない。したがって、削り取られた弾性体の破片が、薬液３２とともに患者の体内に送られるといったことも生じず、薬液３２は適正な状態を維持したまま患者の体内に供給される。
【００３０】
図９は、可動カニューレ部２２が筒状穿刺部２４の基端部２４ａ側に位置した状態のカニューレ２０が取り付けられた注射器１０で、バイアル３７に収容された薬液３２ａを吸引している状態を示している。このバイアル３７では、蓋３７ａがゴム製のキャップ部とキャップ部の周囲を固定するアルミニウム製の枠部（図示せず）で構成されている。この場合には、鈍針２４ｂを直接蓋３７ａの中央部に刺し込んで、開口部２５をバイアル３７内に位置させる。そして、バイアル３７を注射器１０とともに、上下に反転させて鈍針２４ｂの先端側部分を薬液３２ａに浸ける。その状態で、注射器１０のピストン部１２をシリンダー部１１から下方に引いて、シリンダー本体１３内に薬液３２ａを吸引する。
【００３１】
この場合も、鈍針２４ｂを蓋３７ａに刺し込む際、開口部２５の縁部によって、蓋３７ａが削り取られることはない。また、バイアル３７の上下を反転させて薬液３２ａを抜き取るため、バイアル３７内の薬液３２ａの殆どを効率よく注射器１０内に吸引することができる。注射器１０に吸引された薬液３２ａは、図８に示した輸液ライン３３を用い、前述した方法によって、患者の体内に供給される。
【００３２】
このように、本実施形態に係るカニューレ２０では、可動カニューレ部２２がカニューレ本体２１の筒状穿刺部２４に対してスライド可能に取り付けられているため、可動カニューレ部２２を筒状穿刺部２４に対して進退させることにより、可動カニューレ部２２と筒状穿刺部２４との全体長さを変更することができる。また、その際、先端側に鈍針２４ｂの開口部２５を位置させたり、可動カニューレ部２２の先端開口部２８を位置させたりすることができる。このため、アンプル３１やバイアル３７等どのような形状の容器に収容された薬液３２，３２ａ等でも吸引することができる。また、本実施形態に係るカニューレ２０では、筒状穿刺部２４の外周面に係合溝部２６ａ，２６ｂを設け、可動カニューレ部２２の内周面に、係合溝部２６ａ，２６ｂと係合可能な係合突部２７を設けている。
【００３３】
このため、係合溝部２６ａと係合突部２７を係合させることにより、可動カニューレ部２２を筒状穿刺部２４の基端部２４ａ側に後退させた位置で静止させることができ、係合溝部２６ｂと係合突部２７を係合させることにより、可動カニューレ部２２を筒状穿刺部２４の先端部側に突出させた位置で静止させることができる。また、その際、可動カニューレ部２２が、筒状穿刺部２４に対して確実に係合するため、注射器１０およびカニューレ２０の操作が容易になるとともに、可動カニューレ部２２と筒状穿刺部２４との間を確実に密閉して薬液３２，３２ａ等の漏れを防止することができる。
【００３４】
さらに、本実施形態に係るカニューレ２０では、鈍針２４ｂの先端側部分の側部に開口部２５を形成しているため、鈍針２４ｂを三方活栓３４の弾性体やバイアル３７の蓋３７ａに刺しても、鈍針２４ｂが弾性体や蓋３７ａを削り取って破損させることはない。また、カニューレ２０は、金属に比べて強度や剛性がそれ程高くない樹脂材料で構成され、その鈍針２４ｂの先端部が２段状の傾斜部に形成されているため、医療従事者や患者にこの鈍針２４ｂが刺さるといった問題も生じない。また、鈍針２４ｂは、先端側の外径が基端側の外径よりも大きく設定されたテーパ状に形成されているため、鈍針２４ｂを三方活栓３４の弾性体やバイアル３７の蓋３７ａに差し込んだ際に、鈍針２４ｂが弾性体や蓋３７ａから後退して外れることを防止できる。このため、薬液３２等の吸引や供給を適正な状態で行える。
【００３５】
（第２実施形態）
図１０ないし図１２は、本発明の第２実施形態に係るカニューレ４０を示している。このカニューレ４０では、カニューレ本体４１が、取付け部２３と同じ構造の取付け部４３と、筒状穿刺部４４とで構成されており、筒状穿刺部４４は、基端側部４４ａとその先端部に形成された鈍針４４ｂとで構成されている。そして、基端側部４４ａは、外周面の直径が全長にわたって略均一に設定され、内部の液体流路４１ａを形成する内周面の直径が基端部側が大きく先端側が小さく設定された筒状に形成されている。鈍針４４ｂは、基端側部４４ａ側の部分が基端側部４４ａよりも小さな直径の筒状に形成され、その先端に先細りになった先端部４４ｃが形成されている。
【００３６】
この先端部４４ｃは、後端部が基端側部４４ａと略等しい太さに設定され、その先端部は、先端側が徐々に細くなった２段状の傾斜部で構成されて、前端面は閉塞されている。そして、鈍針４４ｂにおける先端部４４ｃの後部両側部に、液体流路４１ａに通じる開口部４５が対向して形成されている。なお、液体流路４１ａにおける鈍針４４ｂの内部に形成された部分は全長にわたって同径に形成されている。また、この筒状穿刺部４４では、基端側部４４ａの外周面には係合溝部４６が円周に沿って設けられているが、鈍針４４ｂの外周面には係合溝部は設けられていない。
【００３７】
また、カニューレ４０が備える可動カニューレ部４２は、筒状穿刺部４４の外周面に沿って移動可能な本体部４２ｂと、本体部４２ｂが筒状穿刺部４４の先端側に位置したときに、鈍針４４ｂの先端より前方に突出する突出部４２ｃとで構成されている。そして、可動カニューレ部４２の内部に液体流路４２ａが形成され、その液体流路４２ａを形成する内周面は、可動カニューレ部４２が筒状穿刺部４４の基端部側に位置したときに、筒状穿刺部４４の外周面と密着するように形成されている。そして、可動カニューレ部４２の内周面における後部側部分に、係合溝部４６と係合可能な係合突部４７が円周に沿って設けられている。
【００３８】
また、突出部４２ｃの先端部における両側部分には、開口部４５と同じ大きさの本発明の側部開口としての切欠き開口部４８が形成されている。この切欠き開口部４８は、図１１および図１２に示したように、可動カニューレ部４２が筒状穿刺部４４の基端部側に位置したときに、開口部４５と一致するように配置されている。また、切欠き開口部４８の先端部は開放されて、可動カニューレ部４２の先端部に形成された先端開口部４８ａに連通している。この切欠き開口部４８と先端開口部４８ａとで、本発明に係る先端開口部が構成される。
【００３９】
したがって、可動カニューレ部４２が筒状穿刺部４４の基端部側に位置して、係合溝部４６と係合突部４７とが係合したときには、可動カニューレ部４２は内周面を筒状穿刺部４４の外周面に密着させて静止状態を維持する。また、可動カニューレ部４２が筒状穿刺部４４の先端部側に突出したときには、係合突部４７が鈍針４４ｂの外周面に密着状態で接触し、その接触によって、可動カニューレ部４２の内周面と筒状穿刺部４４の外周面との間が密閉された状態で可動カニューレ部４２は静止状態を維持する。
【００４０】
このように構成したことにより、可動カニューレ部４２の軸方向の長さを長く設定しても、可動カニューレ部４２を筒状穿刺部４４の基端部側に位置させたときに、可動カニューレ部４２が筒状穿刺部４４の開口部４５を塞ぐことがなくなる。このため、薬液等の注入・注出をスムーズに行える。これによって、可動カニューレ部４２の取り付け位置や形状の設定に自由度が増すようになる。このカニューレ４０のそれ以外の作用効果については、前述した第１実施形態に係るカニューレ２０と同様である。また、この場合、欠き開口部４８に代えて、先端開口部４８ａから離れた部分に窓状の開口部を設けてもよい。
【００４１】
（第３実施形態）
図１３ないし図１５は、本発明の第３実施形態に係るカニューレ５０を示している。このカニューレ５０では、可動カニューレ部５２の突出部５２ｃに設けられる切欠き開口部５８が突出部５２ｃの側部の一方にだけ形成されている。このカニューレ５０のそれ以外の部分の構成については、前述した第２実施形態に係るカニューレ４０と同一である。したがって、同一部分に同一符号を記してその説明を省略する。ただし、図１３ないし図１５は、図１０ないし図１２をそれぞれ軸回り方向に９０度回転した状態を示している。
【００４２】
このように構成したことにより、可動カニューレ部５２を前方に突出させ、この可動カニューレ部５２を介して、薬液３２等をカニューレ５０内に注入したり、注出したりする場合には、可動カニューレ部５２の液体流路４２ａとカニューレ本体４１の液体流路４１ａとを２個の開口部４５によって連通させるようになる。また、可動カニューレ部５２を介さず、直接筒状穿刺部４４から薬液３２等をカニューレ５０内に注入したり、注出したりする場合には、一方の開口部４５が可動カニューレ部５２によって閉塞されるため、他方の開口部４５だけによってカニューレ５０内と外部側部分とが連通する。このカニューレ５０のそれ以外の作用効果については、前述した第２実施形態に係るカニューレ４０と同様である。
【００４３】
（第４実施形態）
図１６ないし図１８は、本発明の第４実施形態に係るカニューレ６０を示している。このカニューレ６０では、カニューレ本体６１が、取付け部２３等と同じ構造の取付け部６３と、筒状部６４とで構成されており、筒状部６４は、筒状基端部６４ａとその先端部に形成された穿刺部６４ｂとで構成されている。筒状基端部６４ａは、外周面の直径が全長にわたって略均一に設定され、内部の液体流路６１ａを形成する内周面の直径も全長にわたって略均一設定されている。そして、液体流路６１ａにおける筒状基端部６４ａの先端部に近い部分に係合溝部６６が円周に沿って設けられている。
【００４４】
穿刺部６４ｂは、筒状基端部６４ａよりも小さな直径の筒状に形成され、その先端部が斜め方向に切断されて尖鋭な先端部６４ｃに形成されている。そして、先端部６４ｃの先端に液体流路６１ａに通じる開口部６５が形成されている。また、カニューレ６０が備える可動カニューレ部６２は、筒状部６４の内周面に沿って移動可能な円筒状の本体部６２ｂと、本体部６２ｂの後端部外周に形成されたフランジ状の係合突部６７とで構成されている。係合突部６７は、係合溝部６６に係合可能であるとともに、筒状基端部６４ａの内周面に対して圧接し任意の位置に可動カニューレ部６２を静止させることができる。そして、可動カニューレ部６２の内部に液体流路６１ａに連通可能な液体流路６２ａが形成されている。
【００４５】
このカニューレ６０によっても、アンプル３１やバイアル３７等の種々の容器に収容された薬液３２等を効率よく吸引することができる。また、このカニューレ６０では、可動カニューレ部６２が筒状部６４の内部側に位置するため、カニューレ６０を取り扱う際に、邪魔にならなくなる。このカニューレ６０のそれ以外の作用効果については、前述した第１実施形態に係るカニューレ２０と同様である。
【００４６】
（第５実施形態）
図１９ないし図２１は、本発明の第５実施形態に係るカニューレ７０を示している。このカニューレ７０では、カニューレ本体７１が、取付け部７３と、筒状部７４とで構成されている。筒状部７４は、外周面の直径が全長にわたって略均一に設定され、内部の液体流路７１ａを形成する内周面の直径は、取付け部７３側部分が大きく先端側に行くほど徐々に小さくなったテーパ状に形成されている。そして、液体流路７１ａを形成する筒状部７４の内周面における先端部に近い部分に係合溝部７６が円周に沿って設けられている。
【００４７】
また、カニューレ７０が備える可動カニューレ部７２は、筒状部７４の内周面に沿って移動可能な本体部７２ｂと、本体部７２ｂの先端部に形成され穿刺部７８とで構成されている。本体部７２ｂは、外周面の直径と内周面の直径とが、ともに後端側部分が大きく先端側部分が小さく設定された円筒体で構成されており、後端部外周にフランジ状の係合突部７７が形成されている。この係合突部７７は、係合溝部７６および液体流路７１ａにおける取付け部７３と筒状部７４との境界の段部に係合可能になっている。
【００４８】
また、穿刺部７８は、円筒状に形成された鈍針で構成されている。そして、可動カニューレ部７２内に形成された液体流路７２ａにおける穿刺部７８の内部に形成された部分は、一定の内径に設定されているが、穿刺部７８の外周部は、後部側から先端側に向って徐々に大径になるテーパ状に形成されている。また、穿刺部７８の先端部は、先端側が徐々に細くなった２段状の傾斜部で構成されて、前端面は閉塞されている。そして、穿刺部７８の先端側部分の両側部に、液体流路７２ａに通じる開口部７５が対向して形成されている。また、可動カニューレ部７２の外周面における本体部７２ｂと穿刺部７８との境界部には、穿刺部７８がカニューレ本体７１内に入り込むことを防止するためのフランジ状の進入防止部７９が形成されている。
【００４９】
したがって、可動カニューレ部７２が筒状部７４の基端部側に位置したときには、液体流路７１ａにおける取付け部７３と筒状部７４との境界の段部に係合突部７７が係合するとともに、進入防止部７９が筒状部７４の先端面に接触して、可動カニューレ部７２は外周面を筒状部７４の内周面に密着させて静止状態を維持する。また、可動カニューレ部７２が筒状部７４の先端部側に突出したときには、係合突部７７と係合溝部７６とが係合して、可動カニューレ部７２は静止状態を維持する。このカニューレ７０によると、穿刺部７８を筒状部７４の先方に長く伸ばした状態で、バイアル３７の蓋３７ａや三方活栓３４の弾性体部等に刺す必要がある場合に好適な使用が可能になる。
【００５０】
また、本発明に係るカニューレは、前述した各実施形態に限定するものでなく、適宜変更実施が可能である。例えば、前述した各実施形態が備える各部分の構成を組み合わせを変更しながら使用することができ、これによって使用に多様性が生じる。また、各部分を構成する材料や形状についても、本発明の技術範囲内で適宜変更が可能である。
【図面の簡単な説明】
【００５１】
【図１】本発明の第１実施形態に係るカニューレが取り付けられた注射器を示す正面図である。
【図２】可動カニューレ部を前方に延ばした状態のカニューレを示す正面図である。
【図３】可動カニューレ部を後退させた状態のカニューレを示す正面図である。
【図４】図３の断面図である。
【図５】アンプルを示す正面図である。
【図６】図１に示した注射器でアンプル本体の薬液を吸引する状態を示す正面図である。
【図７】図１に示した注射器で傾倒させたアンプル本体内に残った薬液を吸引する状態を示す正面図である。
【図８】注射器から輸液ラインに薬液を供給する状態を示す一部切欠き正面図である。
【図９】注射器でバイアルの薬液を吸引する状態を示す正面図である。
【図１０】第２実施形態に係るカニューレの可動カニューレ部を前方に延ばした状態を示す正面図である。
【図１１】図１１のカニューレの可動カニューレ部を後退させた状態を示す正面図である。
【図１２】図１１の断面図である。
【図１３】第３実施形態に係るカニューレの可動カニューレ部を前方に延ばした状態を示す正面図である。
【図１４】図１３のカニューレの可動カニューレ部を後退させた状態を示す正面図である。
【図１５】図１３の断面図である。
【図１６】第４実施形態に係るカニューレの可動カニューレ部を前方に延ばした状態を示す正面図である。
【図１７】図１６のカニューレの可動カニューレ部を後退させた状態を示す正面図である。
【図１８】図１７の断面図である。
【図１９】第５実施形態に係るカニューレの可動カニューレ部を前方に延ばした状態を示す正面図である。
【図２０】図１９のカニューレの可動カニューレ部を後退させた状態を示す正面図である。
【図２１】図２０の断面図である。
【符号の説明】
【００５２】
２０，４０，５０，６０，７０…カニューレ、２１，４１，６１，７１…カニューレ本体、２１ａ，２２ａ，４１ａ，４２ａ，６１ａ，６２ａ，７１ａ，７２ａ…液体流路、２２，４２，５２，６２，７２…可動カニューレ部、２４，４４…筒状穿刺部、２４ａ…基端部、２５，４５，６５，７５…開口部、２６ａ，２６ｂ，４６，６６，７６…係合溝部、２７，４７，６７，７７…係合突部、２８，４８ａ…先端開口部、４４ａ…基端側部、４８，５８…切欠き開口部、６４，７８，７４…筒状部、６４ｂ…穿刺部、６４ａ…筒状基端部。
【図１】
2006020803.tif 000003
【図２】
2006020803.tif 000004
【図３】
2006020803.tif 000005
【図４】
2006020803.tif 000006
【図５】
2006020803.tif 000007
【図６】
2006020803.tif 000008
【図７】
2006020803.tif 000009
【図８】
2006020803.tif 000010
【図９】
2006020803.tif 000011
【図１０】
2006020803.tif 000012
【図１１】
2006020803.tif 000013
【図１２】
2006020803.tif 000014
【図１３】
2006020803.tif 000015
【図１４】
2006020803.tif 000016
【図１５】
2006020803.tif 000017
【図１６】
2006020803.tif 000018
【図１７】
2006020803.tif 000019
【図１８】
2006020803.tif 000020
【図１９】
2006020803.tif 000021
【図２０】
2006020803.tif 000022
【図２１】
2006020803.tif 000023